(57)【要約】【課題】表示内容を複数人で閲覧して共有する利用形態においても、特定の操作については、主たる操作者以外の周囲のユーザによるタッチ操作を禁止することのできる操作表示装置を提供する。【解決手段】タッチパネルを備えた表示面Ｓへのタッチ操作を受けたとき、そのタッチ操作が特定の機能（たとえば、パスワードの入力）に関する操作の場合に、そのタッチ操作の操作者の表示面Ｓに対する相対的な向きを検出（たとえば、表示面Ｓに接触している部分の指の形状から検出）し、表示中の画面の向きとタッチ操作を行った操作者の向きが不一致の場合に、このタッチ操作を無効にする。【選択図】図４
2014016803.tif 000002
【特許請求の範囲】
【請求項１】
表示部と、
前記表示部の表示面へのタッチ操作を検出するタッチパネルと、
前記表示部の表示面へのタッチ操作を行う操作者の前記表示面に対する相対的な向きを検出する検出部と、
前記表示部の表示内容を制御する制御部と、
を備え、
前記制御部は、前記タッチパネルで検出されたタッチ操作が特定の操作であって、前記表示部に表示中の画面の向きと、前記タッチ操作を行った操作者について前記検出部が検出した向きとが不一致の場合は、前記タッチ操作を無効にする
ことを特徴とする操作表示装置。
【請求項２】
前記検出部は、タッチ操作を行っている指の前記表示面に接触している部分の形状に基づいて、その指でタッチ操作を行った操作者の前記表示面に対する相対的な向きを検出する
ことを特徴とする請求項１に記載の操作表示装置。
【請求項３】
前記制御部は、前記タッチパネルの検出したタッチ操作を前記無効にしたとき、所定の警告通知を行う
ことを特徴とする請求項１または２に記載の操作表示装置。
【請求項４】
前記所定の警告通知は、前記表示部に表示中の前記画面が正しい向きに見える操作者に対する警告内容であって、前記画面と同じ向きに表示される
ことを特徴とする請求項３に記載の操作表示装置。
【請求項５】
前記所定の警告通知は、前記無効にされたタッチ操作を行った操作者に対する警告内容であって、前記無効にされたタッチ操作を行った操作者から正しく見える向きに表示される
ことを特徴とする請求項３に記載の操作表示装置。
【請求項６】
前記特定の操作は、セキュリティ情報の入力操作と、送信宛先の設定操作と、ジョブの実行開始操作の中の少なくとも１つである
ことを特徴とする請求項１乃至５のいずれか１つに記載の操作表示装置。
【請求項７】
前記制御部は、前記表示部に表示中の同一画面に対して受けた２つのタッチ操作の操作者が同一人か否かを前記検出部によって検出される各タッチ操作に係る指の形状を対比して判断し、異なる操作者からの操作と判断した場合に、前記表示部の表示面を２つの領域に分割し、それぞれの領域に個別の画面を表示する
ことを特徴とする請求項２に記載の操作表示装置。
【請求項８】
前記制御部は、前記分割を行う際に、２つのタッチ操作のそれぞれに対してそのタッチ位置が含まれる領域を優先的に割り当て、それぞれの領域に表示する画面の向きを、その領域に割り当てたタッチ操作に係る操作者の向きに合わせた向きにする
ことを特徴とする請求項７に記載の操作表示装置。
【請求項９】
前記制御部は、分割直前に前記表示部に表示されていた画面と同じ内容の画面を分割後の前記領域に表示すると共に、前記領域に表示する画面内の入力釦については、分割直前に前記表示部に表示されていた画面内におけるその入力釦のサイズより小さくしない
ことを特徴とする請求項７に記載の操作表示装置。
【請求項１０】
表示部と、前記表示部の表示面へのタッチ操作を検出するタッチパネルと、前記表示部の表示面へのタッチ操作を行う操作者の前記表示面に対する相対的な向きを検出する検出部とを備えた情報処理装置を、
前記タッチパネルで検出されたタッチ操作が特定の操作であって、前記表示部に表示中の画面の向きと、前記タッチ操作を行った操作者について前記検出部が検出した向きとが不一致の場合は、前記タッチ操作を無効にするように動作させる
ことを特徴とするプログラム。
【請求項１１】
前記情報処理装置を、タッチ操作を行っている指の前記表示面に接触している部分の形状に基づいて、その指でタッチ操作を行った操作者の前記表示面に対する相対的な向きを検出するように動作させる
ことを特徴とする請求項１０に記載のプログラム。
【発明の詳細な説明】
【技術分野】
【０００１】
本発明は、タッチパネルを備えた操作表示装置およびプログラムに関する。
【背景技術】
【０００２】
指紋センサによって指を読み取って得た指データからその指の指先方向を決定し、この指先方向に基づいてユーザから見た場合の携帯機器の天地方向を決定し、この天地方向に合わせて携帯機器に表示する画面の向きを制御する技術がある（特許文献１参照。）。
【０００３】
また、タッチパネルを備えた機器において、指がタッチパネルに接触している部分の接触面積を求め、この接触面積が閾値以上の場合は第１操作を、閾値未満の場合は第２操作を受けたと認識する技術がある（特許文献２参照。）。
【先行技術文献】
【特許文献】
【０００４】
【特許文献１】特開２０１０−２０７１６号公報
【特許文献２】特開２０１０−１８２１８５号公報
【発明の概要】
【発明が解決しようとする課題】
【０００５】
比較的大きなタッチパネルを備えた携帯端末や会議システム用の大型タッチパネルは、表示画面を複数人で閲覧しながら操作するといった形態で共用される。
【０００６】
しかし、特定の操作については、主たる操作者以外の周囲のユーザによるタッチ操作を禁止したい場合がある。たとえば、パスワードの入力操作やファイル送信の宛先設定操作、印刷、保存、送信などのジョブ実行の開始操作がそれに当たる。従来の装置には、このような周囲のユーザによるタッチ操作を禁止する機能はなかった。
【０００７】
本発明は、上記の問題を解決しようとするものであり、表示内容を複数人で閲覧して共有する利用形態においても、特定の操作については、主たる操作者以外の周囲のユーザによるタッチ操作を禁止することのできる操作表示装置を提供することを目的としている。
【課題を解決するための手段】
【０００８】
かかる目的を達成するための本発明の要旨とするところは、次の各項の発明に存する。
【０００９】
［１］表示部と、
前記表示部の表示面へのタッチ操作を検出するタッチパネルと、
前記表示部の表示面へのタッチ操作を行う操作者の前記表示面に対する相対的な向きを検出する検出部と、
前記表示部の表示内容を制御する制御部と、
を備え、
前記制御部は、前記タッチパネルで検出されたタッチ操作が特定の操作であって、前記表示部に表示中の画面の向きと、前記タッチ操作を行った操作者について前記検出部が検出した向きとが不一致の場合は、前記タッチ操作を無効にする
ことを特徴とする操作表示装置。
【００１０】
上記発明では、操作者から受けたタッチ操作が予め定めた特定の操作（たとえば、セキュリティ情報の入力や、ジョブの実行開始操作など）であり、かつそのタッチ操作を行った操作者の向きが表示中の画面の向きと異なる場合にそのタッチ操作が無効にされる。すなわち、画面を正しい向きから閲覧してない周囲の操作者からの特定の操作は無効にされる。
【００１１】
［２］前記検出部は、タッチ操作を行っている指の前記表示面に接触している部分の形状に基づいて、その指でタッチ操作を行った操作者の前記表示面に対する相対的な向きを検出する
ことを特徴とする［１］に記載の操作表示装置。
【００１２】
上記発明では、タッチ操作を行った指が表示面と接触している部分の形状に基づいてそのタッチ操作を行った操作者の表示面Ｓに対する相対的な向きを検出する。
【００１３】
［３］前記制御部は、前記タッチパネルの検出したタッチ操作を前記無効にしたとき、所定の警告通知を行う
ことを特徴とする［１］または［２］に記載の操作表示装置。
【００１４】
上記発明では、周囲の操作者から無効なタッチ操作を受けたことが警告される。
【００１５】
［４］前記所定の警告通知は、前記表示部に表示中の前記画面が正しい向きに見える操作者に対する警告内容であって、前記画面と同じ向きに表示される
ことを特徴とする［３］に記載の操作表示装置。
【００１６】
［５］前記所定の警告通知は、前記無効にされたタッチ操作を行った操作者に対する警告内容であって、前記無効にされたタッチ操作を行った操作者から正しく見える向きに表示される
ことを特徴とする［３］に記載の操作表示装置。
【００１７】
［６］前記特定の操作は、セキュリティ情報の入力操作と、送信宛先の設定操作と、ジョブの実行開始操作の中の少なくとも１つである
ことを特徴とする［１］乃至［５］のいずれか１つに記載の操作表示装置。
【００１８】
上記発明では、セキュリティ情報の入力操作、送信宛先の設定操作、ジョブの実行開始操作は、重要な操作なので、画面を正しい向きから閲覧していない周囲の操作者からの操作は無効にされる。
【００１９】
［７］前記制御部は、前記表示部に表示中の同一画面に対して受けた２つのタッチ操作の操作者が同一人か否かを前記検出部によって検出される各タッチ操作に係る指の形状を対比して判断し、異なる操作者からの操作と判断した場合に、前記表示部の表示面を２つの領域に分割し、それぞれの領域に個別の画面を表示する
ことを特徴とする［２］に記載の操作表示装置。
【００２０】
上記発明では、二人の操作者からのタッチ操作が同時に検出されたときは、表示面を２分割し、それぞれの領域に独立の画面を表示して個々に操作を受け付ける。
【００２１】
［８］前記制御部は、前記分割を行う際に、２つのタッチ操作のそれぞれに対してそのタッチ位置が含まれる領域を優先的に割り当て、それぞれの領域に表示する画面の向きを、その領域に割り当てたタッチ操作に係る操作者の向きに合わせた向きにする
ことを特徴とする［７］に記載の操作表示装置。
【００２２】
上記発明では、分割後のそれぞれの領域に表示される画面は、各領域内にタッチ操作を行った操作者の向きに優先的に合わせるようにされる。
【００２３】
［９］前記制御部は、分割直前に前記表示部に表示されていた画面と同じ内容の画面を分割後の前記領域に表示すると共に、前記領域に表示する画面内の入力釦については、分割直前に前記表示部に表示されていた画面内におけるその入力釦のサイズより小さくしない
ことを特徴とする［７］に記載の操作表示装置。
【００２４】
上記発明では、分割直前の画面と同じ内容の画面が分割後の各領域に表示されると共に、分割後の各領域の画面内の入力釦のサイズは、分割前の画面内でのその入力釦のサイズより小さくされない。入力釦について、分割後も分割前と同じ操作性が確保される。
【００２５】
［１０］表示部と、前記表示部の表示面へのタッチ操作を検出するタッチパネルと、前記表示部の表示面へのタッチ操作を行う操作者の前記表示面に対する相対的な向きを検出する検出部とを備えた情報処理装置を、
前記タッチパネルで検出されたタッチ操作が特定の操作であって、前記表示部に表示中の画面の向きと、前記タッチ操作を行った操作者について前記検出部が検出した向きとが不一致の場合は、前記タッチ操作を無効にするように動作させる
ことを特徴とするプログラム。
【００２６】
［１１］前記情報処理装置を、タッチ操作を行っている指の前記表示面に接触している部分の形状に基づいて、その指でタッチ操作を行った操作者の前記表示面に対する相対的な向きを検出するように動作させる
ことを特徴とする［１０］に記載のプログラム。
【発明の効果】
【００２７】
本発明に係る操作表示装置およびプログラムによれば、表示内容を複数人で閲覧して共有する利用形態においても、特定の操作については、主たる操作者以外の周囲のユーザによるタッチ操作を禁止することができる。
【図面の簡単な説明】
【００２８】
【図１】本発明の実施の形態に係る操作表示装置および操作表示装置の機能を備えた複合機を含むシステム構成例を示す説明図である。
【図２】本発明の実施の形態に係る操作表示装置の電気的概略構成を示すブロック図である。
【図３】操作表示装置の機能を備えた複合機の概略構成を示すブロック図である。
【図４】パスワード入力画面に対して有効操作および無効操作を受けた様子を示す説明図である。
【図５】送信宛先の入力に関する有効操作および無効操作を受けた様子を示す説明図である。
【図６】送信釦に対して有効操作および無効操作を受けた様子を示す説明図である。
【図７】無効操作を受けた際に主たる操作者に対して警告通知が表示された様子を示す説明図である。
【図８】無効操作を受けた際に無効操作者に対して警告通知が表示された様子を示す説明図である。
【図９】タッチ操作を受けた操作表示装置が行う処理の流れを示す流れ図である。
【図１０】同時に二人の操作者からの個別のシングルタッチ操作を受けて表示面Ｓが２つの領域に分割された状態を示す説明図である。
【図１１】分割後に反対側の操作者から無効操作を受けた際に主たる操作者に対して警告通知が表示された様子を示す説明図である。
【図１２】分割後に反対側の操作者から無効操作を受けた際に無効操作者に対して警告通知が表示された様子を示す説明図である。
【図１３】領域分割の機能を備えた操作表示装置がタッチ操作を受けた際に行う処理の流れを示す流れ図である。
【図１４】分割処理（図１３のステップＳ２１１）の詳細を示す流れ図である。
【図１５】分割後の各領域に独立の画面を表示している状態でタッチ操作を受けた場合の処理を示す流れ図である。
【発明を実施するための形態】
【００２９】
以下、図面に基づき本発明の実施の形態を説明する。
【００３０】
図１は、本発明の実施の形態に係る操作表示装置１０および本発明の操作表示装置としての機能を備えた複合機３０を含むシステム構成例を示している。操作表示装置１０および複合機３０はＬＡＮ（Local Area Network）などのネットワーク２に接続されている。
【００３１】
操作表示装置１０は、Ｂ５サイズほどの矩形の平板形状を成した携帯端末である。操作表示装置１０の表面の全域は各種の操作画面を表示する表示部の表示面Ｓになっている。また、表示面Ｓ上のほぼ全面に渡り、操作者の指の接触による各種のタッチ操作を検出するタッチパネルが設けてある。操作表示装置１０は、たとえば、文書や画像データを作成、編集する機能、複合機３０を遠隔操作する機能などを備える。操作表示装置１０は、表示画面を複数人で閲覧しながら操作するといった形態で共用されることがある。
【００３２】
複合機３０は、原稿画像を光学的に読み取ってその複製画像を記録紙に印刷するコピー機能、読み取った原稿の画像データをファイルにして保存したり外部端末へ送信したりするスキャン機能、パーソナルコンピュータなどの外部端末から受信した印刷ジョブに係る画像を記録紙上に形成して出力するＰＣプリント機能、画像データを送受信するファクシミリ機能などを備えた画像処理装置である。
【００３３】
複合機３０は、大型の操作パネル５０を備えている。操作パネル５０は、操作表示装置１０と同様に、矩形の平板形状を成し、その表面に操作画面等を表示するための大型（たとえば、Ａ４サイズ）の表示面Ｓを有している。また、表示面Ｓ上の全域に渡り、操作者の指の接触によるタッチ操作を検出するタッチパネルが設けてある。操作パネル５０は表示画面を複数人で閲覧しながら操作するといった形態で共用することができる。
【００３４】
図２は、操作表示装置１０の電気的概略構成を示している。操作表示装置１０は、当該操作表示装置１０の動作を統括制御する制御部としてのＣＰＵ１１にバスを通じて、ＲＯＭ（Read Only Memory）１２、ＲＡＭ（Random Access Memory）１３、不揮発メモリ１４、表示部１５、操作部１６、ネットワーク通信部２１、画像処理部２２、ハードディスク装置２３、操作者方向検出部２４などを接続して構成される。
【００３５】
ＲＯＭ１２には、各種プログラムやデータが格納され、これらのプログラムに従ってＣＰＵ１１が各種の処理を実行することで操作表示装置１０としての各機能が実現される。ＲＡＭ１３はＣＰＵ１１がプログラムを実行する際に各種のデータを一時的に格納するワークメモリや表示データを一時記憶するメモリとして使用される。
【００３６】
不揮発メモリ１４は、電源がオフになっても記憶内容が保持されるメモリである。不揮発メモリ１４には、各種の設定内容、ユーザ情報、通信情報（ネットワークアドレスなど）などが記憶される。ハードディスク装置２３は、大容量、不揮発の記憶装置である。
【００３７】
表示部１５は、液晶ディスプレイなどで構成され、各種の操作画面、設定画面等を表示する。表示部１５はＲＡＭ１３の所定領域に格納された表示データに対応する画面を表示する。ＣＰＵ１１は表示データの作成や加工を行う。
【００３８】
操作部１６は、表示部１５の表示面Ｓへのタッチ操作を検出するタッチパネル部１７および少数の操作スイッチ１８を備えている。タッチパネル部１７は、複数箇所へのタッチ操作を同時に検出可能である。タッチパネル部１７の検出方式は、静電容量、アナログ/デジタル抵抗膜、赤外線、超音波、電磁誘導等、任意でよい。
【００３９】
操作者方向検出部２４は、タッチ操作を行っている操作者の表示面Ｓに対する相対的な向きを検出する。ここでは、タッチ操作を行っている指が表示面Ｓに接触している部分の形状（以後、単に「指の形状」とする）を検出し、この指の形状からそのタッチ操作を行った操作者の表示面Ｓに対する相対的な向きを検出する。具体的には、表示面Ｓに接触している部分の指の輪郭形状などからその指の指先方向を求め、該指先方向を操作者の向きとして求める。なお、別の構成例として、たとえば、操作者方向検出部２４は指の形状の検出のみ行い、その検出された指の形状から操作者の向きを求める処理はＣＰＵ１１が担当するように構成されてもよい。
【００４０】
ネットワーク通信部２１は、無線通信によりネットワーク２と接続して複合機３０や各種の外部装置と通信する機能を果たす。たとえば、複合機３０を当該操作表示装置１０から遠隔制御する場合、制御対象となる複合機３０との間の通信に使用される。
【００４１】
画像処理部２２は、表示部１５に表示される表示データを加工する機能を果たす。たとえば、表示データを加工して画面の拡大縮小、回転などを行う。
【００４２】
図３は、複合機３０の概略構成を示すブロック図である。操作表示装置１０と同一の構成要素には同一の符号を付してあり、それらの説明は適宜省略する。
【００４３】
複合機３０は、当該複合機３０の動作を制御するＣＰＵ１１にバスを介して、ＲＯＭ１２、ＲＡＭ１３、不揮発メモリ１４、表示部１５、操作部１６、ネットワーク通信部２１、画像処理部２２、ハードディスク装置２３、操作者方向検出部２４などが接続されて構成される。これらは、操作表示装置１０としての機能を果たす構成要素である。
【００４４】
さらに複合機３０は、ＣＰＵ１１にバスを通じて、スキャナ部３１、プリンタ部３２、ファクシミリ通信部３３を接続して備えている。
【００４５】
スキャナ部３１は、原稿画像を光学的に読み取って画像データを取得する。スキャナ部３１は、たとえば、原稿に光を照射する光源と、その反射光を受けて原稿を幅方向に１ライン分読み取るラインイメージセンサと、原稿からの反射光をラインイメージセンサに導いて結像させるレンズやミラーなどからなる光学系のほか、ミラーや光源を移動させてライン単位の読取位置を原稿の長さ方向に順次移動させる移動機構などを備えて構成されている。
【００４６】
プリンタ部３２は、画像データに基づく画像を電子写真プロセスによって記録紙上に形成して出力する。プリンタ部３２は、たとえば、記録紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００４７】
ファクシミリ通信部３３は、ファクシミリ通信に係るプロトコル制御を行って、ファクシミリ送受信を行う。
【００４８】
ＲＯＭ１２には、各種プログラムやデータが格納され、これらのプログラムに従ってＣＰＵ１１が各種の処理を実行することで複合機３０としての各機能が実現される。ＲＡＭ１３は、ＣＰＵ１１がプログラムを実行する際に各種のデータを一時的に格納するワークメモリや表示データ、画像データなどを一時記憶するメモリとして使用される。
【００４９】
ハードディスク装置２３には、スキャナ部３１で原稿を読み取って得た画像データや外部ＰＣ（パーソナルコンピュータ）などから受信した印刷データ、ファクシミリ受信した画像データなどの保存に使用される。
【００５０】
表示部１５は、当該複合機３０を操作するための各種の操作画面や設定画面を表示し、操作部１６は複合機３０を動作させるための各種の操作を操作者から受け付ける。表示部１５および操作部１６は、複合機３０の操作パネル５０を構成する。
【００５１】
画像処理部２２は、画像データや表示部１５に表示する表示データに対して、画像補正、回転、拡大／縮小、圧縮／伸張など各種の画像処理を施す。
【００５２】
操作表示装置１０、複合機３０は共に、タッチパネル部１７で検出したタッチ操作が予め定めた特定の操作の場合に、このタッチ操作を行った操作者の向きと表示部１５に表示中の画面の向きとの一致・不一致を調べ、不一致の場合はそのタッチ操作を無効にする機能を備えている。
【００５３】
以下、操作表示装置１０において複合機３０の遠隔制御を行う場合を例に説明する。なお、複合機３０の操作パネル５０における画面の表示および操作についても同様の動作となるためその説明は省略する。
【００５４】
図４は、パスワードの入力を受け付けるパスワード入力画面６０を表示面Ｓに表示して操作を受け付ける様子を示している。パスワード入力画面６０には、この画面のタイトル６１、ユーザ情報入力欄６２、パスワード入力欄６３、パスワードの入力を受けるためのテンキー６４などが表示される。パスワード入力画面６０は、セキュリティ情報の入力を受けるため、この画面に対する入力操作はすべて特定の操作として扱われる。すなわち、パスワード入力画面６０では、主たる操作者（画面の天地が正しく見える向きから操作する操作者）からの操作のみ受け付け、周囲の操作者（画面の天地が正しく見える向き以外の向きから操作する操作者）の操作は無効にするようになっている。
【００５５】
図４では、操作者Ａは、頂点ＯＰＱＲ有する矩形の表示面Ｓの辺ＯＰ側に立ち、辺ＱＲ側を向いてタッチ位置７１を指で押下操作している。操作者Ｂは、表示面Ｓの辺ＱＲ側に立ち、辺ＯＰ側を向いてタッチ位置７２を指で押下操作している。図中、タッチ位置７１、７２は、表示面Ｓに接触している部分の指の輪郭形状を示してある。パスワード入力画面６０は操作者Ａから見た場合に天地が正しい向きとなる方向に表示されている。よって、操作者Ａは主たる操作者であり、操作者Ｂは周囲の操作者になる。
【００５６】
操作者方向検出部２４はタッチパネル部１７がタッチ操作を検出すると、そのタッチ位置に接触している部分の指の形状からそのタッチ位置に対する操作を行った操作者の表示面Ｓに対する相対的な向きを判定する。図４の場合、タッチ位置７１における指の形状からタッチ位置７１に係る操作者Ａの向きは辺ＯＰ側から辺ＱＲ側を臨む矢印７３の向きと判定する。また、タッチ位置７２における指の形状からタッチ位置７２に係る操作者Ｂの向きは辺ＱＲ側から辺ＯＰ側を臨む矢印７４の向きと判定する。
【００５７】
ＣＰＵ１１は、操作者方向検出部２４が判定したタッチ位置に対応する操作者の向きと表示中の画像の向きとの一致・不一致を調べ、一致する場合はそのタッチ位置に係るタッチ操作を有効とし、不一致の場合はそのタッチ位置に係るタッチ操作を無効にする。たとえば、画面の向きに対して操作者の向きのズレが４５度の範囲内であれば「一致する」と判定し、それ以上のズレの場合は不一致と判定する。ズレの許容範囲は設定変更可能になっている。
【００５８】
図４の例では、同図（ｂ）に示すように、タッチ位置７１に対する操作は、表示中のパスワード入力画面６０と同じ方向なので有効にされ、タッチ位置７２に対する操作はパスワード入力画面６０と逆方向なので無効にされる。図中、無効の操作は破線で示し、×印を付してある。
【００５９】
図５は、送信宛先の入力を受け付ける送信宛先設定画面８０を表示面Ｓに表示して操作を受け付ける様子を示している。送信宛先設定画面８０は、ファクシミリ送信の宛先を設定する画面である。送信宛先設定画面８０には、操作を説明する案内メッセージ８１、宛先の電話番号が入力される宛先入力欄８２、電話番号を入力するためのテンキー８３などが表示されている。さらに、送信の実行を指示する送信釦８４、宛先入力欄８２への入力内容を破棄するキャンセル釦８５、この画面での入力をキャンセルして前の画面に戻るための戻る釦８６が表示されている。
【００６０】
送信宛先設定画面８０における送信宛先の入力操作は特定の操作として扱われ、主たる操作者からの操作のみ受け付け、周囲の操作者からの操作は無効にされる。
【００６１】
図５では、操作者Ａは、頂点ＯＰＱＲ有する矩形の表示面Ｓの辺ＯＰ側に立ち、辺ＱＲ側を向いてタッチ位置９１（テンキー８３の中の「０」のキー）を指で押下操作している。操作者Ｂは、表示面Ｓの辺ＱＲ側に立ち、辺ＯＰ側を向いてタッチ位置９２（テンキー８３の中の「３」のキー）を指で押下操作している。送信宛先設定画面８０は操作者Ａから見た場合に天地が正しい向きとなる方向に表示されている。
【００６２】
図５の場合、操作者方向検出部２４はタッチ位置９１における指の形状からタッチ位置９１に係る操作者Ａの向きは辺ＯＰ側から辺ＱＲ側を臨む矢印９３の向きと判定する。また、タッチ位置９２における指の形状からタッチ位置９２に係る操作者Ｂの向きは辺ＱＲ側から辺ＯＰ側を臨む矢印９４の向きと判定する。
【００６３】
ＣＰＵ１１は、操作者方向検出部２４が判定したタッチ位置に対応する操作者の向きと表示中の画面の向きとの一致・不一致を調べ、一致する場合はそのタッチ位置に係るタッチ操作を有効とし、不一致の場合はそのタッチ位置に係るタッチ操作を無効にする。図５の例では、同図（ｂ）に示すように、タッチ位置９１に対する操作は、表示中の送信宛先設定画面８０と同じ方向なので有効にされ、タッチ位置９２に対する操作は送信宛先設定画面８０と逆方向なので無効にされる。
【００６４】
図６は、図５と同じ向きに表示されている送信宛先設定画面８０において送信釦８４が操作された場合を示している。送信釦８４は、ジョブの実行開始を指示する釦であるため、送信釦８４に対する操作は特定の操作として扱われ、主たる操作者からの操作のみ受け付けられ、周囲の操作者からの操作は無効にされる。
【００６５】
図６（ａ）は、頂点ＯＰＱＲ有する矩形の表示面Ｓの辺ＯＰ側に立ち、辺ＱＲ側を向いた操作者Ａがタッチ位置９５を指で押下して送信釦８４を操作している。操作者方向検出部２４はタッチ位置９５における指の形状からタッチ位置９５に係る操作者Ａの向きは辺ＯＰ側から辺ＱＲ側を臨む矢印９６の向きと判定する。ＣＰＵ１１は、タッチ位置９５に係る操作者の向きと表示中の送信宛先設定画面８０の向きの一致・不一致を判定する。この場合、一致するので、タッチ位置９５に係る操作は有効にされ、送信が実行される。
【００６６】
図６（ｂ）は、表示面Ｓの辺ＱＲ側に立ち、辺ＯＰ側を向いた操作者Ｂがタッチ位置９７を指で押下して送信釦８４を操作している。操作者方向検出部２４はタッチ位置９７における指の形状からタッチ位置９７に係る操作者Ｂの向きは辺ＱＲ側から辺ＯＰ側を臨む矢印９８の向きと判定する。この場合、タッチ位置９７に係る操作者の向きと表示中の送信宛先設定画面８０の向きが不一致なので、タッチ位置９７に係る操作は無効にされ、送信は実行されない。
【００６７】
次に、無効な操作を受けた場合の警告通知について説明する。
【００６８】
図７は、送信宛先設定画面８０に警告通知１００が表示された様子を示している。図７の例は、図６（ｂ）のタッチ位置作９７、すなわち、送信宛先設定画面８０と逆向きの操作者Ｂから送信釦８４に対するタッチ操作を受けてそのタッチ操作を無効にした場合を示している。送信宛先設定画面８０を正しい向きで見る主たる操作者Ａに対する警告内容の警告通知１００が、操作者Ａから正しく見える方向、すなわち、送信宛先設定画面８０と同じ向きに表示されている。
【００６９】
図８の例は、図７と同様に、送信釦８４に対するタッチ位置９７に対するタッチ操作を無効にした場合に、その無効なタッチ操作を行った操作者Ｂに対する警告通知１０１が表示された様子を示している。図８では、無効なタッチ操作を行った操作者Ｂに対する警告内容の警告通知１０１が、操作者Ｂから正しく見える方向に表示されている。
【００７０】
図９は、操作表示装置１０が行う処理の流れを示している。タッチパネル部１７がタッチ操作を検出すると（ステップＳ１０１；Ｙｅｓ）、ＣＰＵ１１は、そのタッチ操作が予め定めた特定の操作に該当するか否かを判定する（ステップＳ１０２）。ここでは、セキュリティ情報に関する入力操作、送信宛先を設定する操作、ジョブの実行を開始させる操作、などが特定の操作になっている。送信宛先の設定には、たとえば、ファクシミリの宛先入力、同胞送信の設定操作、スキャナ部３１で読み取った画像データのファイルを電子メールに添付して送信する機能（Scan to E-mail）における宛先入力、スキャナ部３１で読み取った画像データのファイルをＳＭＢ（Server Message Block）手順で送信する機能（Scan to SMB）における宛先入力などがある。
【００７１】
検出されたタッチ操作が特定の操作でない場合は（ステップＳ１０２；Ｎｏ）、このタッチ操作を有効操作として、対応する処理を行って（ステップＳ１０５）、本処理を終了する（エンド）。たとえば、タッチ操作に対応して表示内容を変更したり、設定を変更したり、ジョブを実行したりする。
【００７２】
特定の操作である場合は（ステップＳ１０２；Ｙｅｓ）、そのタッチ操作に係る指の形状からそのタッチ操作を行った操作者の向きを操作者方向検出部２４から取得する（ステップＳ１０３）。
【００７３】
ＣＰＵ１１は操作者方向検出部２４から取得した操作者の向きと、現在表示中の画面の向きとが一致するか否かを調べ（ステップＳ１０４）、一致する場合は（ステップＳ１０４；Ｙｅｓ）、このタッチ操作を有効操作として、対応する処理を行って（ステップＳ１０５）、本処理を終了する（エンド）。
【００７４】
ＣＰＵ１１は、操作者方向検出部２４から取得した操作者の向きと、現在表示中の画面の向きとが不一致の場合は（ステップＳ１０４；Ｎｏ）、このタッチ操作を無効操作として扱う（ステップＳ１０６）。そして、警告通知に関する設定の登録内容を参照する（ステップＳ１０７）。警告通知に関する設定は、予め所定の設定画面でユーザから操作を受けて設定されて不揮発メモリ１４などに登録されている。警告通知に関する設定項目としては、（１）警告通知の有無、（２）警告通知の対象者、がある。（２）では、警告通知の対象者を、無効操作を行った操作者（無効操作者）とするか主たる操作者とするかが選択される。
【００７５】
ＣＰＵ１１は、上記（１）の項目が「警告通知無し」に設定されている場合は（ステップＳ１０８；Ｎｏ）、本処理を終了する（エンド）。
【００７６】
（１）の項目が「警告通知有り」に設定されている場合は（ステップＳ１０８；Ｙｅｓ）、上記（２）の項目が「無効操作者」に設定されているか否かを調べ、「無効操作者」に設定されている場合は（ステップＳ１０９；Ｙｅｓ）、無効操作者に対する内容の警告通知を、無効操作者の向きに合った方向に表示して（ステップＳ１１０）、本処理を終了する（エンド）。
【００７７】
上記（２）項目が「無効操作者」に設定されていない場合、すなわち、主たる操作者に設定されている場合は（ステップＳ１０９；Ｎｏ）、主たる操作者に対する内容の警告通知を、表示中の画面と同じ方向に表示して（ステップＳ１１１）、本処理を終了する（エンド）。
【００７８】
以上のように、特定の操作に関するタッチ操作を受けたとき、そのタッチ操作を行った操作者の向きを検出し、表示中の画面の向きと操作者の向きとが不一致の場合にそのタッチ操作を無効にするので、表示画面を複数人で閲覧して共有する利用形態においても、特定の操作については、主たる操作者以外の周囲のユーザによるタッチ操作を禁止することができる。
【００７９】
また、特定の操作以外の操作については、周囲のユーザからのタッチ操作も有効になるので、表示中の画面を複数人で閲覧しながら、複数人で操作することが可能になる。
【００８０】
次に、複数の操作者によるタッチ操作が同時に検出された場合に表示面Ｓを操作者の数に対応する個数に分割する場合について説明する。
【００８１】
図１０は、同時に検出された複数の操作が二人の操作者からの個別のシングルタッチ操作であった場合を示している。同図（ａ）に示すように、左矢印１０５の根元の位置をタッチされた後、左矢印１０５の向きに払う第１タッチ操作１０３と、右矢印１０６の根元の位置をタッチされた後、右矢印１０６の向きに払う第２タッチ操作１０４とをタッチパネル部１７が同時に検出すると、ＣＰＵ１１は、第１タッチ操作１０３と第２タッチ操作１０４とが同一人によるマルチタッチ操作であるか、二人の操作者による個別のシングルタッチ操作であるかを判断する。
【００８２】
たとえば、第１タッチ操作１０３に係る指の形状から求めた操作者の向きと、第２タッチ操作１０４に係る指の形状から求めた操作者の向きとが同一（所定の許容範囲内、たとえば４５度未満）の場合、あるいは操作者の向きが同一かつ第１タッチ操作１０３のタッチ位置と第２タッチ操作１０４のタッチ位置との距離が所定の許容距離（たとえば、１５ｃｍ）以下の場合は、一人の操作者によるマルチタッチ操作であると判定する。
【００８３】
第１タッチ操作１０３に係る指の形状から求めた操作者の向きと、第２タッチ操作１０４に係る指の形状から求めた操作者の向きとが大きく異なる場合（たとえば、４５度以上異なる、逆方向であるなどの場合）、あるいは第１タッチ操作１０３のタッチ位置と第２タッチ操作１０４のタッチ位置との距離が所定距離を超える場合は二人の操作者による個別のシングルタッチ操作であると判定する。
【００８４】
なお、同一人か否かの判定方法は上記に限定されず、たとえば、指の形状（大きさや輪郭）の類似性から同一人による操作であるか複数人による操作であるかを判別してもよい。また、指の形状以外の情報から同一人か否かを判定してもよい。
【００８５】
図１０（ａ）の場合、第１タッチ操作１０３に係る指の形状から求めた操作者の向きは矢印１０７が示す向きであり、第２タッチ操作１０４に係る指の形状から求めた操作者の向きは矢印１０８が示す向きである。ＣＰＵ１１は、これらの向きが異なることから、二人の操作者による個別のタッチ操作と判定し、第１タッチ操作１０３を第１の操作者による左方向へのフリック操作、第２タッチ操作１０４を第２の操作者による右方向へのフリック操作と認識する。
【００８６】
その結果、同図（ｂ）に示すように、ＣＰＵ１１は、表示部１５の表示面Ｓを２つの領域Ｓ１、Ｓ２に分割し、それぞれの領域Ｓ１、Ｓ２に個別の画面を表示し、それぞれの画面で独立した操作を受け付ける。この例では、表示面Ｓを左右に分割し、各領域Ｓ１、Ｓ２に、分割前の画面と同じ内容（項目）の画面をレイアウトを変えて表示している。なお、入力釦（操作釦）については、分割前の画面に表示していた入力釦のサイズより小さくしないようにする。ここでは、同一サイズにする。
【００８７】
図１０の例では、分割前は、同図（ａ）に示すようにパスワード入力画面６０が表示されており、分割後は、図１０（ｂ）に示すように、左側の領域Ｓ１にパスワード入力画面６０Ａが、右側の領域Ｓ２にパスワード入力画面６０Ｂが表示されている。左側の領域Ｓ１に表示したパスワード入力画面６０Ａではテンキー６４を画面の左端に寄せてあり、右側の領域Ｓ２に表示したパスワード入力画面６０Ｂではテンキー６４を画面の右端に寄せてある。また、各領域Ｓ１、Ｓ２に表示したパスワード入力画面６０Ａ、６０Ｂにおけるテンキー６４のキー配列を相違させてある。
【００８８】
テンキー６４はパスワード（セキュリティ情報）の入力に係る入力釦なので、操作内容が隣の操作者に分からないようにすることが重要になる。そこで、各領域Ｓ１、Ｓ２に表示したパスワード入力画面においてテンキー６４が互いに離れるようにレイアウトすることで、テンキー６４に対する操作が隣の操作者から見え難くなるようにしている。また、テンキー６４のキー配列を相違させることで指の動きから操作内容を想定できなくしている。テンキー６４の各入力釦のサイズは、分割の前後で同一である。
【００８９】
次に、分割後の領域に表示された画面に対して無効な操作を受けた場合の警告通知について説明する。
【００９０】
図１１は、図１０（ｂ）の状態において、操作者Ｂが領域Ｓ１に表示されたパスワード入力画面６０Ａに対して逆方向からのタッチ操作（無効操作）を行った場合に表示される警告通知１１１の一例を示している。警告通知１１１は、領域Ｓ１に表示されたパスワード入力画面６０Ａの主たる操作者Ａに対する内容の警告通知であり、パスワード入力画面６０Ａの上に、パスワード入力画面６０Ａと同じ向きに表示されている。
【００９１】
図１２は、図１０（ｂ）の状態において、操作者Ｂが領域Ｓ１に表示されたパスワード入力画面６０Ａに対して逆方向からのタッチ操作（無効操作）を行った場合に表示される他の例による警告通知１１２を示している。警告通知１１２は、領域Ｓ２に表示されたパスワード入力画面６０Ｂの主たる操作者Ｂに対する内容の警告通知であり、２つのパスワード入力画面６０Ａ、６０Ｂに跨るようにして、これらの上に、かつパスワード入力画面６０Ｂと同じ向きに表示されている。
【００９２】
図１３は、上記の領域分割の機能を備えた操作表示装置１０が行う処理の流れを示している。タッチパネル部１７がタッチ操作を検出すると（ステップＳ２０１；Ｙｅｓ）、このタッチ操作のタッチ位置を示す位置情報とこのタッチ操作を行った指の形状を示す情報とを関連付けて管理テーブルに登録する（ステップＳ２０２）。
【００９３】
次に、同一画面に対して累計で複数箇所へのタッチ操作を検出したか否かを判断し（ステップＳ２０３）、１箇所のみの場合は（ステップＳ２０３；Ｎｏ）、当該タッチ操作がリリースされた（指が離された）か否かを調べる（ステップＳ２０４）。リリースされた場合は（ステップＳ２０４；Ｙｅｓ）、一人の操作者によるシングルタッチ操作であったと認識し（ステップＳ２０５）、図９のステップＳ１０２へ移行して、その後の処理を行う。
【００９４】
リリースされない場合は（ステップＳ２０４；Ｎｏ）、ステップＳ２０１に戻って新たなタッチ操作の有無を調べる。新たなタッチ操作を受けない場合は（ステップＳ２０１；Ｎｏ）、ステップＳ２０４に戻ってリリースの有無を再び調べる。
【００９５】
累計で複数箇所へのタッチ操作が検出された場合は（ステップＳ２０３；Ｙｅｓ）、管理テーブルに登録されている情報に基づいて複数箇所へのタッチ操作が一人の操作者によるマルチタッチ操作か否かを判定する（ステップＳ２０７）。
【００９６】
判定結果が「一人の操作」である場合は（ステップＳ２０８；Ｙｅｓ）、管理テーブルに登録されている複数の操作を一人の操作者によるマルチタッチ操作と認識し、そのマルチタッチ操作（たとえば、ピンチイン、ピンチアウト）に対応する処理（表示の変更や操作の内容を複合機３０へ出力する処理など）を行って（ステップＳ２０９）本処理を終了する。
【００９７】
判定結果が「一人の操作」でない場合は（ステップＳ２０８；Ｎｏ）、管理テーブルに登録されている複数の操作を複数人の操作者による個別のシングルタッチ操作と認識し（ステップＳ２１０）、表示面Ｓを複数の領域に分割する分割処理を行って（ステップＳ２１１）本処理を終了する。
【００９８】
図１４は、分割処理（図１３のステップＳ２１１）の詳細を示している。まず、表示面Ｓを複数の領域に分割する（ステップＳ２３１）。たとえば、左右や上下に均等に分割する。次に、同時に検出された複数のタッチ操作のそれぞれに、分割後の領域を１つずつ割り当てる（ステップＳ２３２）。この際、それぞれの領域にタッチ位置が含まれるタッチ操作をその領域に対して優先的に割り当てる。たとえば、領域の中心に最も近いタッチ操作に対してその領域を優先的に割り当てる。
【００９９】
次に、各領域に表示する画面の向きを、その領域に割り当てたタッチ操作に係る操作者の向きと同じ方向に設定する（ステップＳ２３３）。さらに、各領域に表示する画面のレイアウトを決定する。たとえば、セキュリティ情報の入力キーを互いに離すようにレイアウトの変更を行う。なお、入力釦（操作釦）については、分割前の画面に表示する入力釦のサイズより小さくしないようにする。ここでは、同一サイズにする。
【０１００】
そして、上記の向きおよびレイアウトにて各領域に個別の画面を表示し、それぞれの画面で独立に操作を受け付ける状態に移行して（ステップＳ２３５）、処理を終了する（リターン）。
【０１０１】
図１５は、分割後の各領域に独立の画面を表示している状態においてタッチ操作を受けた場合の処理を示している。タッチパネル部１７がタッチ操作を検出すると（ステップＳ３０１；Ｙｅｓ）、ＣＰＵ１１は、そのタッチ操作が予め定めた特定の操作に該当するか否かを判定する（ステップＳ３０２）。検出されたタッチ操作が特定の操作でない場合は（ステップＳ３０２；Ｎｏ）、このタッチ操作を有効操作として、対応する処理を行って（ステップＳ３０５）、本処理を終了する（エンド）。
【０１０２】
特定の操作である場合は（ステップＳ３０２；Ｙｅｓ）、そのタッチ操作に係る指の形状からそのタッチ操作を行った操作者の向きを操作者方向検出部２４から取得する（ステップＳ３０３）。
【０１０３】
ＣＰＵ１１は操作者方向検出部２４から取得したこのタッチ操作に係る操作者の向きと、このタッチ操作を受けた領域に現在表示中の画面の向きとが一致するか否かを調べ（ステップＳ３０４）、一致する場合は（ステップＳ３０４；Ｙｅｓ）、このタッチ操作を有効操作として、対応する処理を行って（ステップＳ３０５）、本処理を終了する（エンド）。
【０１０４】
不一致の場合は（ステップＳ３０４；Ｎｏ）、このタッチ操作を無効操作として扱う（ステップＳ３０６）。そして、警告通知に関する設定の登録内容を参照する（ステップＳ３０７）。警告通知に関する設定が「警告通知無し」に設定されている場合は（ステップＳ３０８；Ｎｏ）、本処理を終了する（エンド）。
【０１０５】
「警告通知有り」に設定されている場合は（ステップＳ３０８；Ｙｅｓ）、警告通知の対象者が「無効操作者」に設定されているか否かを調べ（ステップＳ３０９）、「無効操作者」に設定されている場合は（ステップＳ３０９；Ｙｅｓ）、無効操作の操作者に対する内容の警告通知を、無効操作の操作者の向きに合った方向に表示して（ステップＳ３１０）、本処理を終了する（エンド）。警告通知は、図１２に示すように分割後の複数の領域に跨るように表示されてもよいし、無効操作を受けた領域に表示されてもよい。
【０１０６】
警告通知の対象者が無効操作者に設定されていない場合（「主たる操作者」に設定されている場合）は（ステップＳ３０９；Ｎｏ）、タッチ操作を受けた領域に、その領域に表示されている画面と同じ方向の警告通知を表示して（ステップＳ３１１）、本処理を終了する（エンド）。
【０１０７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０８】
実施の形態では、タッチ操作を受けた指の形状からそのタッチ操作に係る操作者の向きを検出するようにしたが、別途の方法で操作者の向きを検出してもよい。たとえば、操作表示装置１０本体の周縁等に、操作者が表示面Ｓ上に伸ばした手を検知するセンサを設け、タッチ操作を行った手が本体周囲のどの方向から伸びた手であるかを検出して、そのタッチ操作の操作者の位置を認識してその操作者の表示面Ｓに対する相対的な向きを判定するようにしてもよい。また、小型のカメラで表示面Ｓの周囲の操作者を撮影し、その画像を解析してタッチ操作を行った操作者の向きを判定するような構成でもかまわない。
【０１０９】
実施の形態で示した警告通知の内容や表示形態は一例であり、これに限定されるものではない。
【０１１０】
実施の形態で示した特定の操作は一例であり、他の操作についても周囲の操作者による操作を無効にするようにしてもよい。全ての操作について周囲の操作者による操作を無効にしてもかまわない。
【０１１１】
表示面Ｓの分割数は、２個に固定してもよいし、同時に検出されたタッチ操作の数に応じた数（３以上の場合もあり）としてもよい。
【０１１２】
操作表示装置１０から複合機３０を遠隔制御する例を示したが、操作表示装置１０による遠隔制御の対象は他の装置であってもかまわない。また、操作表示装置を備えた画像処理装置は、実施の形態で示した複合機に限定されず、複写機、ファクシミリ装置、画像編集装置など任意の画像処理装置でよい。
【符号の説明】
【０１１３】
２…ネットワーク
１０…操作表示装置
１１…ＣＰＵ
１２…ＲＯＭ
１３…ＲＡＭ
１４…不揮発メモリ
１５…表示部
１６…操作部
１７…タッチパネル部
１８…操作スイッチ
２１…ネットワーク通信部
２２…画像処理部
２３…ハードディスク装置
２４…操作者方向検出部
３０…複合機
３１…スキャナ部
３２…プリンタ部
３３…ファクシミリ通信部
５０…操作パネル
６０、６０Ａ、６０Ｂ…パスワード入力画面
６１…画面のタイトル
６２…ユーザ情報入力欄
６３…パスワード入力欄
６４…テンキー
７１、７２…タッチ位置
７３、７４…操作者の向きを示す矢印
８０…送信宛先設定画面
８１…案内メッセージ
８２…宛先入力欄
８３…テンキー
８４…送信釦
８５…キャンセル釦
８６…戻る釦
９１…有効なタッチ操作のタッチ位置
９２…無効なタッチ操作のタッチ位置
９３…タッチ位置９１に係る操作者の向きを示す矢印
９４…タッチ位置９２に係る操作者の向きを示す矢印
９５…有効なタッチ操作のタッチ位置
９６…タッチ位置９５に係る操作者の向きを示す矢印
９７…無効なタッチ操作のタッチ位置
９８…タッチ位置９７に係る操作者の向きを示す矢印
１００…警告通知（主たる操作者向け）
１０１…警告通知（無効操作者向け）
１０３…第１タッチ操作
１０４…第２タッチ操作
１０５…第１タッチ操作の軌跡
１０６…第２タッチ操作の軌跡
１０７…第１タッチ操作に係る操作者の向きを示す矢印
１０８…第２タッチ操作に係る操作者の向きを示す矢印
１１１…警告通知
１１２…警告通知
Ａ、Ｂ…操作者
Ｓ…表示面
Ｓ１、Ｓ２…分割後の領域
【図１】
2014016803.tif 000003
【図２】
2014016803.tif 000004
【図３】
2014016803.tif 000005
【図４】
2014016803.tif 000006
【図５】
2014016803.tif 000007
【図６】
2014016803.tif 000008
【図９】
2014016803.tif 000009
【図１０】
2014016803.tif 000010
【図１３】
2014016803.tif 000011
【図１４】
2014016803.tif 000012
【図１５】
2014016803.tif 000013
【図７】
2014016803.tif 000014
【図８】
2014016803.tif 000015
【図１１】
2014016803.tif 000016
【図１２】
2014016803.tif 000017